(57)【要約】      （修正有）【課題】クレセント受の取付構造を知らない居住者であってもクレセント受けの取付位置の調整し易いクレセント受けの取付構造を提供する。【解決手段】外障子１１は、左縦框及び右縦框２１Ｂと、上横框及び下横框とが、形状交差面に２２において各コーナーブロックを介して互いに接続されている。クレセント受２６Ｂは、外召合框２１Ｂの上下方向に沿って形成された取付片２６３に取付けられ、コーナーブロック４１Ｂ及び４３Ｂ間で移動可能に配置され、且つ、取付片２６３からの脱落が防止される。【選択図】図５
2018105051.tif 000002
【特許請求の範囲】
【請求項１】
障子の上下方向に沿って形成され、且つ、クレセント本体を取付ける取付片を備えた縦框と、
障子の上下方向に沿って形成され、且つ、前記クレセント本体を受けるクレセント受を取付けるクレセント受取付片を備えた縦框と、
前記クレセント受取付片を備えた縦框に、前記クレセント受の移動を規制する移動規制部材を設けたことを特徴とするクレセント受の取付構造。
【請求項２】
縦框の上下方向に沿って形成され、且つ、クレセント本体を取付ける取付片と、
縦框の上下方向に沿って形成され、且つ、前記クレセント本体を受けるクレセント受を取付けるクレセント受取付片と、
前記クレセント受取付片を設けた縦框に、前記クレセント受の移動を規制する移動規制部材を設けた障子。
【請求項３】
前記移動規制部材は、前記クレセント受取付片を設けた縦框の下端に取り付けられたコーナーブロックであることを特徴とする請求項１のクレセント受の取付構造又は同２の障子。
【請求項４】
前記クレセント受は、前記クレセント受取付片を設けた縦框の上下端に取り付けられたコーナーブロック間で移動可能に配置されていることを特徴とする請求項１のクレセント受の取付構造又は同２の障子。
【発明の詳細な説明】
【技術分野】
【０００１】
本願発明は、障子に取付けられるクレセントに関し、特に障子に対するクレセント受の取付構造及び同構造を備えた障子に関する。
【背景技術】
【０００２】
障子に取り付けられるクレセントは、掛け金（クレセント本体）とこれを受ける受け金具（クレセント受け）からなる。
かかるクレセントが幼児の手の届く位置に固定されている場合に、次のような課題が提示されている。
例えば、クレセントがベランダ等に臨んでいるテラス窓等に配置されていて、親等がベランダ等で洗濯物の物干し作業中等に、幼児がクレセントを施錠してしまい、物干し作業中の親等がベランダに締め出されてしまう場合があること、幼児がクレセントを解錠して、ベランダに出た場合に、転落等の危険があること等である。
上記課題を解決するための一手段として、幼児等の成長に合わせて、親が簡単にクレセントの位置を移動できる障子であることが望ましい。
【０００３】
上記課題とは異なるものの、特許文献１は、縦框にクレセント受けの取付加工が施されて縦框に固定されている障子において、その高さ方向の切詰めが必要な場合に、取付位置のバラ付きを防止するために、縦框の上下端を均等に切除しなければならない難点を解消
する手段として、次のようなクレセント受の取付構造を開示している。
即ち、特許文献１は、「クレセント受け４を外障子の召合せ框１に設けられた溝部２の長手方向の任意の位置に・・・固着して、障子の高さ方向の切り詰めを行う場合にも上下端いずれか加工し易い方を切除することができ、また、任意数のクレセント受けを框に容易に装着できるクレセント受けの取付構造」を開示している。
【０００４】
また、特許文献２は「クレセント受けの取付台座７の位置を中空部３内において上下・・・に変更することによってクレセント受けの取付位置を容易に調整できて、建て付け調整が容易にできる構造」を開示している。
【先行技術文献】
【特許文献】
【０００５】
【特許文献１】実公昭５８−７００８号公報
【特許文献２】実公昭５８−４７１６８号公報
【０００６】
しかし、これらの従来例のクレセント受けの固定位置の調整は、専らに建て付け調整のもので、上記課題、即ち、居住者（親等）が簡単にクレセントの位置を移動できる障子を提供することを解決するものではない。
クレセント受け等の取付構造が不明な居住者は、その不慣れなためにクレセント受けを障子框の上端又は下端から脱落させてしまうおそれがある。
また、特許文献２のようなクレセント受Ｂの場合、その取付構造を知らない居住者がクレセント受けの取付位置の調整しようとすると、ネジを緩めすぎてしまい、クレセント受けが障子框の下端から、脱落してしまうおそれがある。
【発明の概要】
【発明が解決しようとする課題】
【０００７】
そこで、本願発明は、上記課題を解決するため、クレセント受の取付位置の調整に不慣れな居住者であってもクレセント受けの取付位置を簡単に調整できるクレセント受けの取付構造及びの障子を提供することを目的とする。
【課題を解決するための手段】
【０００８】
上記課題を解決するため、
障子の上下方向に沿って形成され、且つ、クレセント本体を取付ける取付片を備えた縦框と、障子の上下方向に沿って形成され、且つ、前記クレセント本体を受けるクレセント受を取付けるクレセント受取付片を備えた縦框と、前記クレセント受取付片を備えた縦框に、前記クレセント受の移動を規制する移動規制部材を設けたことを特徴とするクレセント受けの取付構造とした（請求項１に記載の発明）。
【０００９】
縦框の上下方向に沿って形成され、且つ、クレセント本体を取付ける取付片と、
縦框の上下方向に沿って形成され、且つ、前記クレセント本体を受けるクレセント受を取付けるクレセント受取付片と、
前記クレセント受取付片を設けた縦框に、前記クレセント受の移動を規制する移動規制部材を設けた障子とした（請求項２に記載の発明）。
【００１０】
前記移動規制部材は、前記クレセント受取付片を設けた縦框の下端に取り付けられたコーナーブロックであることを特徴とする請求項１に記載のクレセント受の取付構造又は請求項２に記載の障子とした（請求項３に記載の発明）。
【００１１】
前記クレセント受は、前記クレセント受取付片を設けた縦框の上下端に取り付けられたコーナーブロック間で移動可能に配置されていることを特徴とする請求項１に記載のクレセント受の取付構造又は請求項２に記載の障子とした（請求項４に記載の発明）。
【発明の効果】
【００１２】
本願発明によれば、クレセント受が前記クレセント受取付片を設けた縦框の上下端から脱落することはないので、クレセント受けの取付位置の調整に不慣れな居住者にとって、クレセント受けの取付位置を調整し易いクレセント受けの取付構造及び障子となっている。
【図面の簡単な説明】
【００１３】
【図１】内外障子の中央縦断面図、
【図２】同中央横断面図、
【図３】図１のＡ−Ａ線矢視断面図、
【図４】（１）乃至（３）  クレセント受けの取付図、裏板の正面図及び同取付図、
【図５】（１）及び（２）  クレセント受けの取付状態を説明する説明図、
【図６】外障子の組付図及び外障子に取り付けられたクレセント受がコーナーブロックに当接された状態を示す作用説明図、
【図７】内障子を左右縦框、上下框、別例のフサギ材及び各コーナーブロックに分解した場合の斜視図、
【図８】内外障子の各コーナーブロックに対する上下框の組付図、
【図９】内障子の要部の組付図、
【図１０】内障子の図８に示したＢ−Ｂ線矢視組付図、
【図１１】コーナーブロックに設けられた排水ブロックの正面図、平面図及び側面図並びに排水ブロックの作用を説明する説明図、
【図１２】コーナーブロックに排水ブロックを設けた場合の障子の組付方法を示す手順図、
【図１３】別例の内外障子（本段落において、以下「別例」を省略）の中央横断面図、
【図１４】同中央縦断面図、
【図１５】（１）及び（２）障子に取り付けられたクレセント受がコーナーブロックに当接された状態を示す作用説明図、
【図１６】内障子を左右縦框、上下框及び各コーナーブロックに分解した場合の斜視図、
【図１７】同内障子の組付図、
【図１８】同内障子の図１７に示したＣ−Ｃ線矢視組付図、
【図１９】同Ｄ−Ｄ線矢視組付図、
【図２０】（１）  同Ｅ−Ｅ線矢視断面図、（２）  同内障子の側面図、
【図２１】第１のコーナーブロックの斜視図、
【図２２】（１）〜（５）第２のコーナーブロックの正面図、平面図、底面図、側面図及び背面図、
【図２３】第２のコーナーブロックによる上框と縦框の組付状態を示す斜視図、
【図２４】外障子の組付図、
【図２５】外障子の図２４に示したＦ−Ｆ線矢視組付図、
【図２６】同Ｇ−Ｇ線矢視組付図、
【図２７】同Ｈ−Ｈ線矢視断面図、
【図２８】ガラスの固定構造を示す縦框の要部断面図、
【図２９】（１）及び（２）  ガラス溝幅の広がり防止構造を示す縦框の要部断面図、
【図３０】別例の第２のコーナーブロックによる組付方法を示す手順説明図である。
【発明を実施するための形態】
【００１４】
本願発明に係る障子は、例えば、建物の開口部（サッシ枠）１の室内側に配置される内障子１０と、室外側に配置される外障子１１からなる。
本願発明が適用される障子は、このような引違の内外障子の他、引違の戸、片引きの窓（内動または外動）、上げ下げ窓等が含まれる。
なお、本書において詳述する本願発明の各障子に共通する構成は、共通する用語を用いると共に、各図において略同一に図示して詳細な説明は省略し、必要に応じて同一の符号で示すこととする。
【００１５】
前記内障子１０は、図１乃至図３に図示されているように、形材としてのアルミ押出形材の長手方向に交差する面（以下、交差面）２２において、その寸法のみが加工されると共に、前記形材の長手方向に沿って、タッピングホール２３が形成されている左縦框（内召合框、外動片引き窓の場合は方立とも称する）２０Ａ及び右縦框（戸先框とも称する）２１Ａと、前記形材の交差面３２（図３）において、その寸法のみが加工されると共に、前記形材の長手方向に沿って、タッピングホール３３が形成されている上横框（上框とも称する）３０Ａ及び下横框（下框とも称する）３１Ａと、左右縦框２０Ａ，２１Ａの各上端Ａと上框３０Ａの各端部をそれぞれ接続する第１及び第２のコーナーブロック４０Ａ，４１Ａと、左右縦框２０Ａ，２１Ａの各下端と下框３１Ａの各端部をそれぞれ接続する第３及び第４のコーナーブロック４２Ａ，４３Ａ（図３参照）とからなる。
【００１６】
前記外障子１１は、図１乃至図３に図示されているように、前記形材の交差面２２において、その寸法のみが加工されると共に、前記形材の長手方向に沿って、タッピングホール２３が形成されている左縦框（外戸先框とも称する）２０Ｂ及び右縦框（外召合框、内動片引き窓の場合は方立とも称する）２１Ｂと、前記形材の交差面３２において、その寸法のみが加工されると共に、前記形材の長手方向に沿って、タッピングホール３３が形成されている上横框（外上框とも称する）３０Ｂ及び下横框（外下框とも称する）３１Ｂと、左右縦框２０Ｂ，２１Ｂの各上端と上框３０Ｂの各端部をそれぞれ接続する第１及び第２のコーナーブロック４０Ｂ，４１Ｂと、左右縦框２０Ｂ，２１Ｂの各下端と下框３１Ｂの各端部をそれぞれ接続する第３及び第４のコーナーブロック４２Ｂ，４３Ｂとからなる。
【００１７】
以上のように構成された内外障子において、クレセント本体２６Ａは、前記内障子１０の左縦框２０Ａの上下方向に沿って形成された前記取付片２６０に、上下方向移動可能に固定されている。
【００１８】
また、クレセント受け２６Ｂは、前記外障子１１の右縦框２１Ｂの上下方向に沿って形成された前記クレセント受取付片２６３に、上下方向移動可能に固定されている。
前記クレセント受取付片２６３は、その上下端の前記交差面２２において、移動規制部材としての第２のコーナーブロック４１Ｂ及び第４のコーナーブロック４３Ｂにより、塞がれるようになっている。
【００１９】
クレセント受け２６Ｂは、図４（１）のようにネジ孔が形成され、前記クレセント受取付片２６３内に配置された裏板２６４（図４（２））により、略リップ状に形成された前記クレセント受取付片２６３の自由端を締め付けることにより固定されている。
なお、前記裏板２６４には、固定ネジが螺合するタップ孔が加工されている。
【００２０】
前記クレセント受２６Ｂを移動させるには、クレセント受２６Ｂを把持しつつ、ネジを緩めて、前記クレセント受取付片２６３に沿ってクレセント受２６Ｂを所望の位置（クレセント本体２６Ａの位置）までスライドさせて移動させる。
この場合、前記右縦框２１Ｂの上下端が第２のコーナーブロック４１Ｂ及び第４のコーナーブロック４３Ｂにより閉鎖されているので、前記クレセント受２６Ｂは、前記右縦框２１Ｂの上下端間を移動できる。
よって、図５のように、幼児等の成長に合わせて、クレセント受２６Ｂの固定位置を調整することができると共に、前記クレセント受２６Ｂが前記右縦框２１Ｂの上下端から脱落することを防止できる。
例えば、居住者がネジを緩めすぎて、クレセント受２６Ｂを下方にスライドさせて落下させても、前記クレセント受２６Ｂ及び裏板２６４は、第４のコーナーブロック４３Ｂに当たり、前記取付片２６３の下端（交差面２２）から脱落することはない（図６参照）。
【００２１】
以下、内障子１０等の構成を詳細に説明する。
前記開口部１に取付けられる寸法に切断された前記左右縦框２０Ａ，２１Ａ及び上下框３０Ａ，３１Ａは、その後、切欠やネジ孔が形成されることはなく、これらの切欠やネジ孔は、各図には図示されていない。
【００２２】
前記左縦框２０Ａは、図２のように、ガラス板６の端部６０を取付けるガラス板挿入部２４と、その外側に前記タッピングホール２３を設けた中空部２５が形材の長手方向に沿って形成されている。
【００２３】
前記中空部２５の外側には、クレセント本体２６Ａを取付るための取付片２６０と、前記外障子１１と係合させる係合片２６１（煙返し）が形成されている。
これらのガラス板挿入部２４、中空部２５、取付片２６０及び係合片２６１は、形材の長手方向に対し略直角に交差する面によって形成される交差面２２において、それらの断面が臨まれる。
【００２４】
前記ガラス板挿入部２４は、後述の右縦框２１Ａ、上下框３０Ａ，３１Ａの各ガラス板挿入部２４，３４と共に、ガラス周りに取付けられたグレチャンＧを介してガラス端部６０が固定されている。
【００２５】
前記中空部２５に形成されている前記タッピングホール２３は、この左縦框２０Ａを第１及び第３のコーナーブロック４０Ａ，４２Ａに固定するためのネジを止着させるもので、２条に形成されている。この２条のタッピングホール２３は、ガラス板６の端部６０の中心線Ｌに対して、それぞれ略等距離「ａ」及び「ｂ」に位置されている。
【００２６】
前記左縦框２０Ａの交差面２２と前記第１のコーナーブロック（以下、第１コーナーブロック又は単にコーナーブロックとも称する。第２のコーナーブロック乃至第４のコーナーブロックにおいても同様とする）４０Ａには、前記第１のコーナーブロック４０Ａに前記左縦框２０Ａを固定する場合の「座」となる第１のフサギ材（以下、第１フサギ材又は単にフサギとも称する。第２のフサギ材乃至第４のフサギ材においても同様とする）５０Ａ（図示せず）が溶接固定されている。
同様に、前記第２〜第４コーナーブロック４１Ａ〜４３Ａには、第２フサギ材５１Ａ〜第４フサギ材５３Ａが溶接されている（図３及び図６（外障子）参照）。
【００２７】
前記右縦框２１Ａには、前記ガラス６の端部６０を取付けるガラス板挿入部２４と、その外側に前記タッピングホール２３が形成されている２つの中空部２７及び中空部２８が形材の長手方向に形成されていて、前記交差面２２にこれらのガラス板挿入部２４、中空部２７及び中空部２８の断面が臨まれる。
【００２８】
前記右縦框２１Ａの前記タッピングホール２３は、この右縦框２１Ａを第２及び第４のコーナーブロック４１Ａ，４３Ａに固定するためのネジを止着させるものである。
【００２９】
前記上框３０Ａは、図１のように前記タッピングホール３３が形成されていると共に前記ガラス板６の端部６０を取付けるガラス板挿入部３４と、開口部１であるサッシ枠の上枠に形成された障子スライド用のガイド７にスライドさせるスライド部３５が、形材の長手方向に形成されており、前記上框３０Ａの両端の前記交差面３２において、それぞれガラス板挿入部３４とスライド部３５の各断面が臨まれる。
【００３０】
前記タッピングホール３３は、前記第１のコーナーブロック４０Ａ及び前記第２のコーナーブロック４１Ａをネジ止めするために用いられる。
【００３１】
前記下框３１Ａには、前記第３のコーナーブロック４２Ａ及び前記第４のコーナーブロック４３Ａのネジ止用の前記タッピングホール３３が形成され、且つ、前記ガラス板６の端部６０を取付けるガラス板挿入部３４と、前記タッピングホール３３の裏面側に形成されている中空部３６と、開口部１であるサッシ枠の下枠に形成されている障子スライド用のレール８に走行させる戸車８０を取付ける戸車取付部３７とが形材の長手方向に形成されている。
【００３２】
前記戸車取付部３７には、図９乃至図１１に図示するように、その長手方向に戸車取付用の取付ヒレ３７０が形成されている。
この取付ヒレ３７０は、戸車８０に設けられているスライド片８１を挟み込んで案内するもので、前記交差面３２に臨んでいる。
よって、戸車８０を取付けるには、前記交差面３２から戸車８０のスライド片８１を取付ヒレ３７０に沿って移動させて、スライド片８１に形成されているストッパー８２を前記交差面３２に係止させ、この交差面３２と第３のコーナーブロック４２Ａは第４のコーナーブロック４３Ａでストッパー８２を挟み込むようにすればよい。
なお、第３及び第４のコーナーブロック４２Ａ，４３Ａには、ストッパー８２を収容する凹部（図示なし）が形成されている。
【００３３】
第１及び第２のフサギ材５０Ａ、５１Ａ、第３及び第４のフサギ材５２Ａ、５３Ａに変えて図７のように、左右縦框２０Ａ、２１Ａの前記交差面２２と第１及び第２のコーナーブロック４０Ａ、４１Ａに別例の第１及び第２のフサギ材５０Ｃ、５１Ｃを、左右縦框２０Ａ、２１Ａの前記各交差面２２と第３及び第４のコーナーブロック４２Ａ、４３Ａに別例の第３及び第４のフサギ材５２Ｃ、５３Ｃを設けてもよい。
【００３４】
前記各コーナーブロック４０Ａ〜４３Ａは、前記左右縦框２０Ａ，２１Ａ及び上下框３０Ａ，３１Ａを固定して四周を連続させるもので、例えばダイカスト等で成形されたアルミ合金製であり、前記左右縦框２０Ａ，２１Ａ及び上下框３０Ａ，３１Ａと同一の色調となっている。
前記第１のコーナーブロック４０Ａは、図７等に図示したように、前記左縦框２０Ａを固定する縦框固定部４４と、前記上框３０Ａを固定する上框固定部４５からなる。
【００３５】
前記縦框固定部４４は、その断面の形状が前記左縦框２０Ａの交差面２２の形状に略一致する輪郭部４４０と、前記左縦框２０Ａの中空部２５の長手方向に連続するように形成される中空部４４１を備えている。
その中空部４４１には、ネジ固定部４４２（図８参照）が形成されており、このネジ固定部４４２により、前記第１のフサギ材５０Ｃが止着される。
【００３６】
前記上框固定部４５は、前記中空部４４１等の一部（図８の破線部参照）を省くことで、上框３０Ａの端部を呑み込む呑込部４５０と、前記輪郭部４４０に形成される溝４５１と、前記呑込部４５０に呑み込まれる上框３０Ａを固定するためのネジ孔４５２が形成されている。
前記溝４５１に固定される樹脂製の振れ止めに設けられたスリット（図示なし）により、前記スライド部３５の幅内で前記ガイド７に沿って移動する内障子１０の揺れ防止が図られる。
【００３７】
第２のコーナーブロック４１Ａは、前記右縦框２１Ａを固定する縦框固定部４４と、前記上框３０Ａを固定する上框固定部４５からなり、前記縦框固定部４４は、前記第１のコーナーブロック４０Ａの縦框固定部４４と同様に、輪郭部４４０と中空部４４１を備えている。
また前記上框固定部４５は、前記第１のコーナーブロック４０Ａの上框固定部４５と同様に、呑込部４５０、溝４５１及びネジ孔４５２が形成されている。
【００３８】
第３のコーナーブロック４２Ａは、図７のように、前記左縦框２０Ａを固定する縦框固定部４７と、前記下框３１Ａを固定する下框固定部４８からなる。
【００３９】
前記縦框固定部４７は、その断面の形状が、前記左縦框２０Ａの交差面２２の形状に略一致する輪郭部４７０と、前記左縦框２０Ａの中空部２５の長手方向に連続するように形成される中空部４７１を備えている。
その中空部４７１には、ネジ固定部４７２が形成されており、このネジ固定部４７２により、前記第３のフサギ材５２Ｃがネジ固定される。
【００４０】
下框固定部４８は、前記中空部４７１等の一部（図８の破線部参照）を省いて下框３１Ａの端部を呑み込む呑込部４８０と、この呑込部４８０に呑み込まれる下框３１Ａを固定するためのネジ孔４８１と、後述の排水ブロック９を固定するためのネジ孔４８２と、戸車８０の調整用の孔４８３と、溝４８４が形成されている。
【００４１】
第４のコーナーブロック４３Ａは、図７のように前記右縦框２１Ａを固定する縦框固定部４７と、前記下框３１Ａを固定する下框固定部４８からなる。
前記縦框固定部４７は、前記第３のコーナーブロック４２Ａの縦框固定部４７と同様に、下框固定部４８は、前記第３のコーナーブロック４２Ａの下框固定部４８と同様に構成されている。
【００４２】
前記第３及び第４のコーナーブロック４２Ａ，４３Ａの各呑込部４８０には、下框３１Ａの端部のみを呑み込ませてもよいが、雨水等に対する防水対策が必要な場所に配置される障子には、前記下框３１Ａの交差面３２と前記呑込部４８０の壁面（前記輪郭部４７０の開口部１側の内壁面）との間に前記排水ブロック９を配置する。
【００４３】
前記排水ブロック９は、図１１に図示されているように前記ネジ孔４８２を介して、各コーナーブロック４２Ａ，４３Ａに固定されるもので、前記呑込部４８０に挿入するように形成された側板９０，９１と、側板９０，９１間に形成される上棚板９２と下棚板９３からなり、前記上棚板９２及び下棚板９３にはそれぞれ水抜き孔９４が形成されている。
なお、前記下棚板９３には、前記ネジ孔４８２に対応するネジ固定部９５が形成されている。
前記排水ブロック９が前記各コーナーブロック４２Ａ，４３Ａに固定された場合に、前記下框３１Ａの交差面３２のガラス板挿入部３４の底面３８から、前記上棚板９２に対して段差が形成されるようになっている。
【００４４】
前記排水ブロック９の作用効果を図１１に基づいて説明する。
前記左右縦框２０Ａ，２１Ａの各ガラス板挿入部２４及び前記上下框３０Ａ，３１Ａの各ガラス板挿入部３４のグレチャンＧの回りから侵入する雨水は、前記下框３１Ａのガラス板挿入部３４の底面３８を流下して、その端部の交差面３２から前記排水ブロック９の上棚板９２及び下棚部９３の水抜き孔９４に落下し、開口部１あるサッシ枠の下枠から室外側に排水される。
上述のように雨水等に対する防水対策が必要な場合には、排水ブロック９を各呑込部４８０に配置して、前記下框３１Ａの交差面３２に当接させればよく、前記左右縦框２０Ａ，２１Ａ及び前記下框３１Ａには、排水構造のための特別な切欠き等の加工は不要となっている。
【００４５】
前記排水ブロック９は前記コーナーブロック４２Ａ等とは別体に構成されて、排水構造が形成されているが、排水ブロック９と第３のコーナーブロック４２Ａ等を一体化したダイカスト成型等によって排水構造を形成してもよい。例えば、図６（外障子）のように、コーナーブロック４２Ｂ，４３Ｂの下框固定部４８に水抜き孔９４を形成して、下框３１Ｂの底面３８に流下した雨水を水抜き孔９４から排水してもよい。なお、その場合は、ネジ固定部９５を形成する必要はない。
【００４６】
前記各フサギ材５０Ｃ〜５３Ｃは、前記左右縦框２０Ａ，２１Ａを前記各コーナーブロック４０Ａ〜４３Ａに固定する場合の「座」となるもので、それぞれ前記交差面２２の断面形状と略同一の平板状に形成されると共に、前記各コーナーブロック４０Ａ〜４３Ａにネジ固定するためのネジ孔５４と、前記左右縦框２０Ａ，２１Ａを固定するために、前記タッピングホール２３に対応するネジ孔５５が形成されている。
【００４７】
前記交差面２２に当接する前記各フサギ材５０Ｃ〜５３Ｃの表面側に前記左右縦框２０Ａ，２１Ａの内周面に沿って立ち上がるヒレを設けてもよく、これにより前記左右縦框２０Ａ，２１Ａと前記各コーナーブロック４０Ａ〜４３Ａの接続の強度を高めることができる。
これらの前記フサギ材５０Ｃ〜５３Ｃの表面（左右縦框２０Ａ，２１Ａ側）及び裏面（各コーナーブロック４０Ａ〜４３Ａ側）の両面に水密材（図示せず）を配置することが望ましい。
水密材は弾性を備えた素材（例えばブチルゴム）により構成され、各コーナーブロック４０Ａ〜４３Ａに各フサギ材５０Ｃ〜５３Ｃと各縦框２０Ａ，２１Ａを固定するネジで締め付けることによって、防水機能が発揮されるもので、それぞれ前記各フサギ材５０Ｃ〜５３Ｃの表面及び裏面の形状と略同一に成形されている。
【００４８】
なお、上述のように前記各フサギ材５０Ａ〜５３Ａは、溶接によって前記各コーナーブロック４０Ａ〜４３Ａに一体化して前記輪郭部４４０，４７０を塞ぐもので、各コーナーブロック４０Ａ〜４３Ａにネジ固定部４４２，４７２を形成する必要はない。よって、固定ネジのネジ固定部４４２，４７２に対する掛かり寸法が不要となるため、交差面２２に各フサギ材５０Ａ〜５３Ａを固定する高さ位置を、上下框３０Ａ，３１Ａのガラス板挿入部３４側端部と同一の高さ位置（図５、６参照）まで、自由に設定することができる。
【００４９】
前記外障子１１の外召合框２１Ｂには、その長手の上下方向に沿って、前記クレセント受取付片２６３が形成されているほか、前記外障子１１の左右縦框２０Ｂ，２１Ｂ、上下框３０Ｂ，３１Ｂ、第１及び第２のコーナーブロック４０Ｂ，４１Ｂ、第３及び第４のコーナーブロック４２Ｂ，４３Ｂは、前記内障子１０の左右縦框２０Ａ，２１Ａ、上下框３０Ａ，３１Ａ、第１及び第２のコーナーブロック４０Ａ，４１Ａ、第３及び第４のコーナーブロック４２Ａ，４３Ａと略同一に構成されている。
例えば、図６のように、前記外障子１１の第３及び第４のコーナーブロック４２Ｂ，４３Ｂにはそれぞれフサギ５２Ｂ、５３Ｂが溶接され、左右縦框２０Ｂ，２１Ｂを固定するための「座」となり、これらの左右縦框２０Ｂ，２１Ｂは、水密材９８を介して、ネジ固定されている。
【００５０】
以上のような構成を備えた障子の作用効果は、次の通りである。
（１）  前記交差面２２において、その寸法のみが加工される内外障子１０，１１の各左右縦框２０Ａ〜２１Ｂと、前記交差面３２においてその寸法のみが加工される内外障子１０，１１の上下框３０Ａ〜３１Ｂに対して、第１、第２、第３及び第４のコーナーブロック４０Ａ〜４３Ｂを用いて、それぞれのタッピングホール２３，３３にネジ止めすればよいので、障子の組付けが容易であり、特別な熟練は不要となっている。
また、前記内障子１０の左縦框２０Ａに形成された前記取付片２６０及び前記外障子１１の右縦框２１Ｂに形成された前記クレセント受取付片２６３に対し、クレセント本体２６Ａ及びクレセント受２６Ｂを取り付けるための加工は不要となっている。
さらに、クレセント本体２６Ａを前記取付片２６０に沿って移動させ、クレセント受２６Ｂを前記クレセント受取付片２６３に沿って移動させても、移動後に加工跡が残らず、意匠性を損なうことはない。
（２）  前記クレセント受取付片２６３は、その上下端の前記交差面２２において、第２のコーナーブロック４１Ｂ及び第４のコーナーブロック４３Ｂにより、閉鎖されるようになっている。よって、前記クレセント受２６Ｂは、図５のように右縦框２１Ｂの上下端から、外れないように上下方向移動可能に固定されている。
即ち、前記クレセント受２６Ｂが、下方にスライドして落下しても、前記クレセント受け２６Ｂ及び裏板２６４は、第４のコーナーブロック４３Ｂに当たり、前記取付片２６３の下端から脱落することはない。
（３）  障子は、左右縦框２０Ａ〜２１Ｂ、上下框３０Ａ〜３１Ｂ及び第１〜第４のコーナーブロック４０Ａ〜４３Ｂを備えているので、高額な加工装置を用いて形材等の加工材の両端部分の切欠や孔明け等の切削加工を行う必要はなく、そのための設備投資は不要となる。
（４）  建物の施工現場の開口部の寸法変更等のために形材の寸法を短くする必要がある場合であっても、左右縦框２０Ａ〜２１Ｂ又は上下框３０Ａ〜３１Ｂの寸法を切断加工すれば足り、切欠き等の再形成は不要である。
（５）  前記下框３１に戸車８０を取付けるには、戸車８０のスライド片８１を取付ヒレ３７０に沿って移動させて、スライド片８１に形成されているストッパー８２を前記交差面３２に係止させ、この前記交差面３２と第３のコーナーブロック４２Ａ又は第４のコーナーブロック４３Ａでストッパー８２を挟み込むようにすればよいので、前記下框３１Ａに戸車８０を取付けるための切欠の形成は不要となっている。
（６）  雨水等に対する防水対策が必要な障子に関しては、排水ブロック９を各呑込部４８０に配置して、前記下框３１Ａの交差面３２に当接させればよく、前記左右縦框２０Ａ，２１Ａ及び前記下框３１Ａには、排水構造のための特別な切欠き等の加工は不要となっている。
【００５１】
以上のような構成を備えた障子による組付構造は、次の通りである。
前記左縦框２０Ａと上框３０Ａとが第１のコーナーブロック４０Ａにより接続され、前記右縦框２１Ａと上框３０Ａとが第２のコーナーブロック４１Ａにより接続され、前記左縦框２０Ａと下框３１Ａとが第３のコーナーブロック４２Ａにより接続され、前記右縦框２１Ａと下框３１Ａとが第４のコーナーブロック４３Ａにより接続されている構造となっている。
【００５２】
以上のように構成された内障子の組付方法は、次のようである。
Ａ  形材を加工する。
左右の縦框２０Ａ，２１Ａとして、形材の寸法のみを加工し、また上下の横框３０Ａ，３１Ａとして、形材の寸法のみを加工する。
Ｂ  第１乃至第４のコーナーブロック４０Ａ〜４３Ａを用いて左右縦框２０Ａ，２１Ａ及び上下框３０Ａ，３１Ａを固定する。
即ち、各コーナーブロック４０Ａ〜４３Ａに固定された前記フサギ材５０Ａ〜５３Ａを介して、左右縦框２０Ａ，２１Ａを前記縦框固定部４４，４７に固定する。
次に、各コーナーブロック４０Ａ〜４３Ａの上框固定部４５に上框３０Ａを固定し、下框固定部４８に下框３１Ａを固定する。
なお、第１乃至第４のコーナーブロック４０Ａ〜４３Ａを用いて左右縦框２０，２１及び上下框３０Ａ，３１Ａを固定する際に、クレセント本体２６Ａを前記左縦框２０Ａの前記取付片２６０に、クレセント受２６Ｂを前記右縦框２１Ｂの前記クレセント受取付片２６３に挿入配置しておく。
【００５３】
前記排水ブロック９を取付る場合は、図１２に図示した手順による。
前記縦框固定部４４，４７に固定された前記フサギ材５０Ｃ〜５３Ｃを介して、左右縦框２０Ａ，２１Ａを各コーナーブロック４０Ａ〜４３Ａの前記縦框固定部４４，４７に固定する。
次に、前記コーナーブロック４２Ａ，４３Ａの呑込部４８０に前記排水ブロック９を挿入して、ネジ固定する。
最後に各コーナーブロック４０Ａ〜４３Ａの上框固定部４５及び下框固定部４８に対して、上下框３０Ａ，３１Ａを固定する。
【００５４】
以上のような組付方法の効果は、次の通りである。
（７）  障子を構成する上下框３０Ａ，３１Ａ、左右縦框２０Ａ，２１Ａ等の工場生産時には、それぞれの端部の切欠加工や孔明加工の工程を省略できる。
（８）  また、施工現場において開口部１の寸法変更等が発生しても、上下框３０Ａ，３１Ａ及び／又は左右縦框２０Ａ，２１Ａのそれぞれの端部の切欠加工や孔明加工の工程を省略できる。
（９）  障子に雨水等に対する防水対策が必要な場合には、排水ブロック９を各呑込部４８０に配置して固定すればよく、上下框３０Ａ，３１Ａ及び／又は左右縦框２０Ａ，２１Ａのそれぞれの端部においては、排水構造のための特別な切欠き等の加工は不要となっている。
【００５５】
次に障子を構成する別例の障子の内障子１０と外障子１１の構成例を説明する。
前記内障子１０は、図１３乃至図１６に図示されているように、形材の長手方向に交差する面（以下、交差面）２２において、その寸法のみが加工されると共に、前記形材の長手方向に沿って、タッピングホール２３が形成されている左縦框（内召合框とも称する）２０Ｃ及び右縦框（戸先框とも称する）２１Ｃと、形材の交差面３２において、その寸法のみが加工されると共に、前記形材の長手方向に沿って、タッピングホール３３が形成されている上横框（上框とも称する）３０Ｃ及び下横框（下框とも称する）３１Ｃと、左右縦框２０Ｃ，２１Ｃの各上端と上框３０Ｃの各端部をそれぞれ接続する第１及び第２のコーナーブロック４０Ｃ，４１Ｃと、左右縦框２０Ｃ，２１Ｃの各下端と下框３１Ｃの各端部をそれぞれ接続する第３及び第４のコーナーブロック４２Ｃ，４３Ｃとを備えている。
【００５６】
前記外障子１１は、図２４乃至図２７に図示されているように、形材の交差面２２において、その寸法のみが加工されると共に、前記形材の長手方向に沿って、タッピングホール２３が形成されている左右縦框２０Ｄ，２１Ｄと、形材の交差面３２において、その寸法のみが加工されると共に、前記形材の長手方向に沿って、タッピングホール３３が形成されている上下框３０Ｄ，３１Ｄと、左右縦框２０Ｄ，２１Ｄの各上端と上框３０Ｄの各端部をそれぞれ接続する第１及び第２のコーナーブロック４０Ｄ，４１Ｄと、左右縦框２０Ｄ，２１Ｄの各下端と下框３１Ｄの各端部をそれぞれ接続する第３及び第４のコーナーブロック４２Ｄ，４３Ｄとを備えている。
【００５７】
以上のように構成された内外障子において、クレセント本体２６Ａは、前記内障子１０の左縦框２０Ｃの上下方向に沿って形成された前記取付片２６０に、上下方向移動可能に固定されている。
【００５８】
また、クレセント受け２６Ｂは、前記外障子１１の右縦框２１Ｄの上下方向に沿って形成された前記クレセント受取付片２６３に固定されている。
前記クレセント受取付片２６３は、その上下端の前記交差面２２において、移動規制部材としての第２のコーナーブロック４１Ｄ及び第４のコーナーブロック４３Ｄにより、閉鎖されるようになっている。よって、前記クレセント受２６Ｂは右縦框２１Ｄの上下端の間において、上下方向移動可能に固定されている。
【００５９】
クレセント受２６Ｂは、図１５（１）のように、ネジ孔が形成され、前記クレセント受取付片２６３に配置された裏板２６４とクレセント受け２６Ｂにより、前記クレセント受取付片２６３の自由端を締め付けることにより固定されている。
前記裏板２６４には、固定ネジが螺合するタップ孔が加工されている。
【００６０】
前記クレセント受２６Ｂを移動させるには、クレセント受２６Ｂを把持しつつ、ネジを緩めて、クレセント受２６Ｂを所望の位置（クレセント本体２６Ａの位置）までスライドさせて移動させればよいが、ネジを緩めすぎて前記クレセント受２６Ｂが、下方にスライドして落下しても、前記クレセント受２６Ｂ及び裏板２６４は、第４のコーナーブロック４３Ｄに当たり、前記取付片２６３の下端から脱落することはない（図１５参照）。
【００６１】
以下、図１３〜図３０に基づいて、内外障子１０、１１の構成例を詳細に説明する。
【００６２】
前記開口部１に取付けられる寸法に切断された前記左右縦框２０Ｃ，２１Ｃ及び上下框３０Ｃ，３１Ｃは、その後、切欠やネジ孔が形成されることはなく、これらの切欠やネジ孔は、図１３以下の各図には図示されていない。
【００６３】
前記左縦框２０Ｃは、召合框を構成するもので、図１６等のように框本体２４Ａと召合部２４Ｂから構成されている。これは前記左縦框２０Ｃを框本体２４Ａと召合部２４Ｂの２部材にすることにより、それぞれ、形材の長手方向において、所定の寸法で切断加工するのみとしたものである。
【００６４】
前記框本体２４Ａには、第１コーナーブロック４０Ｃの差込片４６（詳細は後述）が挿入される差込片挿入部２５Ａと、この差込片挿入部２５Ａの外側を囲み、且つ、外障子１１と係合させる係合部２６Ｃが、形材の長手方向に形成されており、前記交差面２２において差込片挿入部２５Ａ及び係合部２６Ｃの断面が臨まれる。
【００６５】
前記差込片挿入部２５Ａは、前記上框３０Ｃに固定された第１コーナーブロック４０Ｃの差込片４６を挿入することができる形状に形成されている。
前記差込片挿入部２５Ａの背面には、その長手方向に沿って前記第１のコーナーブロック４０Ｃをネジ止めする前記タッピングホール２３が形成されると共に、前記差込片挿入部２５Ａの自由端２５０の間にはガラス板６の端部６０が挿入されるガラス板挿入スペース２７Ａが形成されている。
【００６６】
前記左縦框２０Ｃは上記のように形成され、その交差面２２が含まれる左縦框２０Ｃの端部において、切欠やネジ孔が形成されることはない。
【００６７】
前記右縦框２１Ｃには、その長手方向に沿って、第２コーナーブロック４１Ｃの差込片４６が挿入される差込片挿入部２５Ａと、この差込片挿入部２５Ａの外側に配置された中空部２８が形成されており、前記交差面２２において、前記差込片挿入部２５Ａと中空部２８の断面がそれぞれ臨まれる。
【００６８】
前記右縦框２１Ｃの差込片挿入部２５Ａには、その背面の長手方向に沿って前記第２のコーナーブロック４１Ｃをネジ止めするタッピングホール２３が形成されると共に、ガラス板挿入スペース２７Ａが形成されている。
【００６９】
前記右縦框２１Ｃは上記のように形成され、その交差面２２が含まれる右縦框２１Ｃの端部において、切欠やネジ孔が形成されることはない。
【００７０】
前記上框３０Ｃは、その長手方向において、一方の端部で第１のコーナーブロック４０Ｃを固定すると共に、他方の端部で第２コーナーブロック４１Ｃを固定する固定部３４Ａと、前記開口部１に形成されている障子スライド用のレールにスライドさせるスライド部３５とを備えており、それぞれ両端の前記交差面３２において、固定部３４Ａとスライド部３５の各断面が臨まれる。
【００７１】
前記固定部３４Ａには、前記第１及び第２のコーナーブロック４０Ｃ，４１Ｃをネジ止めするタッピングホール３３が形成されると共に、ガラス板挿入スペース３６Ａが形成されている。
【００７２】
前記固定部３４Ａは、左右縦框２０Ｃ，２１Ｃのガラス板挿入スペース２７Ａに呑み込まれるように、前記スライド部３５の基部から幅狭の段部となっている。
【００７３】
前記スライド部３５は、前記左右縦框２０Ｃ，２１Ｃの短手方向の幅と略同一の幅を備えており、その幅内で前記ガイド７に沿って移動する内障子１０の揺れ防止は、前記第１及び第２のコーナーブロック４０Ｃ，４１Ｃにそれぞれ形成されているスリット４４６による。
【００７４】
前記上框３０Ｃの固定部３４Ａ及びスライド部３５は、その交差面３２が含まれる端部において、切欠やネジ孔が加工されることはない。
【００７５】
前記下框３１Ｃは、一方の端部で第３のコーナーブロック４２Ｃを固定すると共に、他方の端部で第４コーナーブロック４３Ｃを固定する固定部３４Ａと、開口部１に形成されている障子スライド用のガイド７に走行させる戸車８０を取付ける戸車取付部３７とが、形材の長手方向に形成されている。
【００７６】
前記固定部３４Ａには、前記第３及び第４のコーナーブロック４２Ｃ，４３Ｃをネジ止めするタッピングホール３３が形成されると共に、ガラス板挿入スペース３６Ａが形成されている。
前記固定部３４Ａは、左右縦框２０Ｃ，２１Ｃのガラス板挿入スペース部２７Ａに呑み込まれるように、前記戸車取付部３７の基部から幅狭の段部となっている。
【００７７】
前記戸車取付部３７には、その長手方向に戸車取付用の取付ヒレ３７０が形成されている。
この取付ヒレ３７０は、戸車８０に設けられているスライド片８１を挟み込んで案内するもので、前記交差面３２に臨んでいる。
よって、戸車８０を取り付けるには、前記交差面３２から戸車８０のスライド片８１を取付ヒレ３７０に沿って移動させて、スライド片８１に形成されているストッパー８２を前記交差面３２に係止させ、この前記交差面３２と第３のコーナーブロック４２Ｃ又は第４のコーナーブロック４３Ｃでストッパー８２を挟み込むようにすればよい（図１７参照）。
なお、第３及び第４のコーナーブロック４２Ｃ，４３Ｃには、ストッパー８２を収容する凹部（図示なし）が形成されている。
【００７８】
前記下框３１Ｃの固定部３４Ａ及び戸車取付部３７においては、その交差面３２が含まれる端部において、切欠やネジ孔が加工されることはない。
【００７９】
前記第１のコーナーブロック４０Ｃは、図１６、図２１等に図示したように、前記左縦框２０Ｃの框本体２４Ａを固定する縦框固定部４４と、前記上框３０Ｃを固定する上框固定部４５からなる。
【００８０】
前記縦框固定部４４は、前記タッピングホール２３に連通するネジ孔４４０Ａが形成され、且つ、前記差込片挿入部２５Ａの交差面２２をカバーする固定板部４４１Ａと、この固定板部４４１Ａの三辺から立ち上がる側面４４２Ａ，４４３Ａ及び背面４４４と、前記側面４４２Ａ，４４３Ａが前記交差面３２に当接することにより構成される当接面４４５を備え、前記背面４４４には上述のスリット４４６が形成されている。
なお、前記縦框固定部４４には、固定板部４４１Ａから延在されて、前記召合部２４Ｂの上端をカバーするカバー板４４７が設けられている。
【００８１】
上框固定部４５は、前記固定板部４４１Ａから略直角に折下げられる差込片４６からなり、この差込片４６は、前記上框３０Ｃの固定部３４Ａの交差面３２をカバーすると共に、前記タッピングホール３３に連通するネジ孔４５０Ａが形成され、且つ、前記交差面３２の内面に入り込む突起４５１Ａが形成されている。
【００８２】
第２のコーナーブロック４１Ｃは、図２２のように、前記右縦框２１Ｃを固定する縦框固定部４４と、前記上框３０Ｃを固定する上框固定部４５からなる。
前記縦框固定部４４は、前記第１のコーナーブロック４０Ｃの縦框固定部４４と同様に、ネジ孔４４０Ａ、固定板部４４１Ａ、側面４４２Ａ，４４３Ａ及び背面４４４、当接面４４５及びスリット４４６が形成されている。
前記上框固定部４５は、前記第１のコーナーブロック４０Ｃの上框固定部４５と同様に、
差込片４６、ネジ孔４５０Ａ及び突起４５１Ａが形成されている。
【００８３】
第３のコーナーブロック４２Ｃは、図１６のように、前記左縦框２０Ｃの框本体２４Ａを固定する縦框固定部４７と、前記下框３１Ｃを固定する下框固定部４８からなる。
【００８４】
前記縦框固定部４７は、前記タッピングホール２３に連通するネジ孔４７０Ａが形成され、且つ、前記差込片挿入部２５Ａの交差面２２をカバーする固定板部４７１Ａと、この固定板部４７１Ａの三辺から立ち下がる側面４７２Ａ，４７３Ａ及び背面４７４と、前記側面４７２Ａ，４７３Ａが前記交差面３２に当接することにより構成される当接面４７５を備え、前記背面４７４には前記レール８を跨ぐ溝４７６が形成されている。
なお、前記縦框固定部４７には、固定板部４７１Ａから延在されて、前記召合部２４Ｂの下端をカバーするカバー板４７７が設けられており、さらに戸車８０の調整用の孔４７８が形成されている。
【００８５】
下框固定部４８は、前記固定板部４７１Ａから略直角に折上げられる差込片４６からなり、この差込片４６には前記下框３１Ｃの固定部３４Ａの交差面３２をカバーすると共に、前記タッピングホール３３に連通するネジ孔４８０Ａが形成され、且つ、前記交差面３２の内面に入り込む突起４８１Ａが形成されている。
【００８６】
第４のコーナーブロック４３Ｃは、図１６のように前記右縦框２１Ｃを固定する縦框固定部４７と、前記下框３１Ｃを固定する下框固定部４８からなる。
前記縦框固定部４７は、前記第３のコーナーブロック４２Ｃの縦框固定部４７と同様に、ネジ孔４７０Ａ、固定板部４７１Ａ、側面４７２Ａ，４７３Ａ及び背面４７４、当接面４７５及び溝４７６が形成されている。
前記下框固定部４８は、前記第３のコーナーブロック４２Ｃの下框固定部４８と同様に、差込片４６、ネジ孔４８０Ａ及び突起４８１Ａが形成されている。
【００８７】
上述のように構成された前記内障子１０の左右縦框２０Ｃ，２１Ｃ、上框３０Ｃ及び第１及び第２のコーナーブロック４０Ｃ，４１Ｃにおいて、第１及び第２のコーナーブロック４０Ｃ，４１Ｃの縦框固定部４４の幅と前記上框３０Ｃのスライド部３５の短手方向の幅は、上記各図に図示されているように略一致している。前記固定部３４Ａは、左右縦框２０Ｃ，２１Ｃのガラス板挿入スペース２７Ａに呑み込まれるように、前記スライド部３５の基部から幅狭の段部となっている。
また、前記内障子１０の左右縦框２０Ｃ，２１Ｃ、下框３１Ｃ及び第３及び第４のコーナーブロック４２Ｃ，４３Ｃにおいて、第３及び第４のコーナーブロック４２Ｃ，４３Ｃの縦框固定部４７と前記下框３１Ｃの戸車取付部３７の短手方向の幅は、上記各図に図示されているように略一致している。また前記固定部３４Ａは、左右縦框２０Ｃ，２１Ｃのガラス板挿入スペース２７Ａに呑み込まれるように、前記戸車取付部３７の基部から幅狭の段部となっている。
よって、第１乃至第４のコーナーブロック４０Ｃ〜４３Ｃを用いて、左右縦框２０Ｃ，２１Ｃ及び上下框３０Ｃ，３１Ｃを組付けた場合、例えば前記内障子１０の右縦框２１Ｃ、上框３０Ｃ及び第２のコーナーブロック４１Ｃの組付状態を図示した図２３のように、各組付個所は、略面一となり、凹凸が形成されずに、従来の上下框と縦框との接合構造とは異なったシンプルな形態となっている。
【００８８】
上述のように前記左右縦框２０Ｃ，２１Ｃには、図１６のようにガラス板挿入スペース２７Ａの外側に差込片挿入部２５Ａが形成されている。
かかる構成において、図２８のようにガラス板挿入スペース２７Ａにはビードを介してガラス板６の端部６０が固定されているが、強風時の風圧等によりガラス板６が変位して、左右縦框２０Ｃ，２１Ｃからガラス板６が外れてしまうケースの対処も必要である。
そこで、図２８のようにガラス板６の端部６０の変位を防ぐことができる保持部材９６を差込片挿入部２５Ａに配置してもよい。
この保持部材９６は、差込片挿入部２５Ａに沿うように長尺状のものでもよいし、ピース材としてもよい。
【００８９】
また、前記ガラス板挿入スペース２７Ａの前記自由端２５０の間隔を拡大させるような外力が作用するケースの対処も必要であり、この場合にも、ガラス板６が変位して、左右縦框２０Ｃ，２１Ｃからガラス板６が外れてしまう恐れある。
そこで、図２９（１）のように、ガラス板挿入スペース２７Ａを拡大させるような外力に対して、これを規制できる金具９７を差込片挿入部２５Ａに配置（自由端２５０の折返片２５１に係止）してもよい。
この規制金具９７も差込片挿入部２５Ａに沿うように長尺状のものでもよいし、ピース材としてもよい。
また図２９（２）のように、保持部材９６と規制金具９７を長手方向の交互に配置する等して併用してもよい。
【００９０】
以上のような構成を備えた別例の障子の作用効果は、次の通りである。
（１０）  前記交差面２２において、その寸法のみが加工される左右縦框２０Ｃ，２１Ｃと前記交差面３２において、その寸法のみが加工される上下框３０Ｃ，３１Ｃに対して、第１、第２、第３及び第４のコーナーブロック４０Ｃ，４１Ｃ，４２Ｃ，４３Ｃを用いて、それぞれのタッピングホール２３，３３にネジ止めすればよいので、障子の組付けが容易であり、特別な熟練は不要となっている。
また、前記内障子１０の左縦框２０Ｃに形成された前記取付片２６０及び前記外障子１１の右縦框２１Ｄに形成された前記クレセント受取付片２６３に対し、クレセント本体２６Ａ及びクレセント受２６Ｂを取り付けるための加工は不要となっている。
また、クレセント本体２６Ａを前記取付片２６０に沿って移動させ、クレセント受２６Ｂを前記クレセント受取付片２６３に沿って移動させても、移動後に加工跡が残らず、意匠性を損なうことはない。
更に  前記クレセント受取付片２６３は、その上下端の前記交差面２２において、第２のコーナーブロック４１Ｄ及び第４のコーナーブロック４３Ｄにより、閉鎖されるようになっている。よって、前記クレセント受２６Ｂは、図１５のように右縦框２１Ｄの上下端から、外れないように上下方向移動可能に固定されている。
即ち、前記クレセント受２６Ｂが、下方にスライドして落下しても、前記クレセント受２６Ｂ及び裏板２６４は、第４のコーナーブロック４３Ｄに当たり、前記取付片２６３の下端から脱落することはない。
（１１）  障子は、前記左右縦框２０Ｃ，２１Ｃ、前記上下框３０Ｃ，３１Ｃ及び第１、第２、第３及び第４のコーナーブロック４０Ｃ，４１Ｃ，４２Ｃ，４３Ｃを備えているので、高額な加工装置を用いて形材等の加工材の両端部分や中間部分の切欠や孔明け等の切削加工を行う必要はなく、そのための設備投資は不要となる。
（１２）  建物の施工現場の開口部の寸法変更等のために形材の寸法を短くする必要がある場合であっても、左右縦框２０Ｃ，２１Ｃ又は上下框３０Ｃ，３１Ｃの寸法を切断加工すれば足り、切欠き等の再形成は不要である。
（１３）  前記下框３１Ｃに戸車８０を取り付けるには、戸車８０のスライド片８１を取付ヒレ３７０に沿って移動させて、スライド片８１に形成されているストッパー８２を前記交差面３２に係止させ、この前記交差面３２と第３のコーナーブロック４２Ｃ又は第４のコーナーブロック４３Ｃでストッパー８２を挟み込むようにすればよいので、前記下框３１Ｃに戸車８０を取付けるための切欠の形成は不要となっている。
（１４）  前記左縦框２０Ｃ、上框３０Ｃ及び第１のコーナーブロック４０Ｃの組付個所、前記右縦框２１Ｃ、上框３０Ｃ及び第２のコーナーブロック４１Ｃの組付個所、前記左縦框２０Ｃと下框３１Ｃ及び第３のコーナーブロック４２Ｃの組付個所及び前記右縦框２１Ｃ、下框３１Ｃ、第４のコーナーブロック４３Ｃの組付個所は、それぞれ略面一となり、従来の上框と縦框との接合構造とは異なる形態となっている。
【００９１】
以上のような構成を備えた障子による組付構造は、次の通りである。
前記左縦框２０Ｃと上框３０Ｃとが第１のコーナーブロック４０Ｃにより接続され、前記右縦框２１Ｃと上框３０Ｃとが第２のコーナーブロック４１Ｃにより接続され、前記左縦框２０Ｃと下框３１Ｃとが第３のコーナーブロック４２Ｃにより接続され、前記右縦框２１Ｃと下框３１Ｃとが第４のコーナーブロック４３Ｃにより接続されている構造となっている。
【００９２】
以上のように構成された障子の組付方法について、別例の第２のコーナーブロック４１Ｃにより右縦框２１Ｃと上框３０Ｃを組み付ける場合を図３０に例示しつつ、説明する。
Ａ  形材を加工する。
左右の縦框２０Ｃ，２１Ｃとして、形材の寸法のみを加工し、また上下の横框３０Ｃ，３１Ｃとして、形材の寸法のみを加工する。
Ｂ  第１乃至第４のコーナーブロック４０Ｃ〜４３Ｃを用いて左右縦框２０Ｃ，２１Ｃ及び上下框３０Ｃ，３１Ｃを固定する。
即ち、前記交差面３２に、第２のコーナーブロック４１Ｃの当接面４４５及び差込片４６を当接させつつ、ネジ孔４５０Ａを介してタッピングホール３３にネジ固定する（図３０（１））。
また、縦框２１Ｃのガラス板挿入スペース２７Ａに、上框３０Ｃの固定部３４Ａを呑み込ませつつ、縦框固定部４４のネジ孔４４０Ａを介して、タッピングホール２３にネジ固定する（図３０（２）及び（３））。
【００９３】
以上のような組付方法の効果は、次の通りである。
（１５）  障子を構成する上下框３０Ｃ，３１Ｃ、左右縦框２０Ｃ，２１Ｃ等の工場出荷時には、それぞれの端部の切欠加工や孔明加工の工程を省略できる。
（１６）  また、施工現場において開口部１の寸法変更等が発生しても、上下框３０Ｃ，３１Ｃ及び／又は左右縦框２０Ｃ，２１Ｃのそれぞれの端部の切欠加工や孔明加工の工程を省略できる。
【００９４】
本発明は、以上説明した実施形態に限定されるものではなく、多くの変形が本発明の技術的思想内で当分野において、通常の知識を有する者により可能である。
上記各実施形態において、前記左右縦框２０Ａ，２１Ａ等及び上下框３０Ａ，３１Ａ等は、切欠やネジ孔が形成されることはなく無加工サッシと称することができるが、通常の縦框にも移動規制部材を取り付けて、上述の作用効果を得ることができる。
また、内外障子１０，１１以外の障子、また障子以外の建具において、上述の発明が解決しようとする課題を抱えている場合に、本発明に係る障子と同様な構成を採用することにより、同課題を解決することができる。
【符号の説明】
【００９５】
１  建物の開口部
１０  内障子
１１  外障子
２０Ａ〜２０Ｄ  左縦框                  ２１Ａ〜２１Ｄ  右縦框
２２  ２２Ａ  交差面                    ２３  タッピングホール
２４  ガラス板挿入部                    ２５  ２７  ２８  中空部
２６Ａ  クレセント本体                  ２６Ｂ  クレセント受
２６０  取付片                          ２６１  係合片（煙返し）
２６３  クレセント受取付片
２６４  裏板
２４Ａ  框本体  ２４Ｂ  召合部
２５Ａ  差込片挿入部
２６Ｃ  係合部  
３０Ａ〜３０Ｄ  上框                    ３１Ａ〜３１Ｄ  下框
３２  交差面                            ３３  タッピングホール
３４  ガラス板挿入部                    ３５  スライド部
３６  中空部                            ３７  戸車取付部
３７０  取付ヒレ                        ３８  底面
３４Ａ  固定部
２７Ａ  ３６Ａ  ガラス板挿入スペース
４０Ａ〜４０Ｄ  第１のコーナーブロック
４１Ａ〜４１Ｄ  第２のコーナーブロック
４２Ａ〜４２Ｄ  第３のコーナーブロック
４３Ａ〜４３Ｄ  第４のコーナーブロック
４４  縦框固定部
４４０  輪郭部                          ４４１  中空部
４４２  ネジ固定部
４４０Ａ  ネジ孔                        ４４１Ａ  固定板部
４４２Ａ  ４４３Ａ  側面
４４６  スリット
４５  上框固定部
４５０  呑込部                          ４５１  溝
４５２  ネジ孔
４５０Ａ  ネジ孔
４５１Ａ  突起
４６  差込片
４７  縦框固定部
４７０  輪郭部                          ４７１  中空部
４７２  ネジ固定部
４７０Ａ  ネジ孔                        ４７１Ａ  固定板部
４７２Ａ  ４７３Ａ  側面
４８  下框固定部
４８０  呑込部                          ４８１  ４８２  ネジ孔
４８３  調整用孔                        ４８４  溝
４８０Ａ  ネジ孔
４８１Ａ  突起
５０Ａ〜５０Ｄ    第１のフサギ材
５１Ａ〜５１Ｄ    第２のフサギ材
５２Ａ〜５２Ｄ    第３のフサギ材
５３Ａ〜５３Ｄ    第４のフサギ材
５４  ５５  ネジ孔
６  ガラス板                            ６０  端部
７  ガイド                              ８  レール
８０  戸車                              ８１  スライド片
８２  ストッパー
９  排水ブロック
９０  ９１  側板                        ９２  上棚板
９３  下棚板                            ９４  水抜き孔
９５  ネジ固定部
９６  保持部材
９７  規制金具
【図１】
2018105051.tif 000003
【図２】
2018105051.tif 000004
【図３】
2018105051.tif 000005
【図４】
2018105051.tif 000006
【図５】
2018105051.tif 000007
【図６】
2018105051.tif 000008
【図７】
2018105051.tif 000009
【図８】
2018105051.tif 000010
【図９】
2018105051.tif 000011
【図１０】
2018105051.tif 000012
【図１１】
2018105051.tif 000013
【図１２】
2018105051.tif 000014
【図１３】
2018105051.tif 000015
【図１４】
2018105051.tif 000016
【図１５】
2018105051.tif 000017
【図１６】
2018105051.tif 000018
【図１７】
2018105051.tif 000019
【図１８】
2018105051.tif 000020
【図１９】
2018105051.tif 000021
【図２０】
2018105051.tif 000022
【図２１】
2018105051.tif 000023
【図２２】
2018105051.tif 000024
【図２３】
2018105051.tif 000025
【図２４】
2018105051.tif 000026
【図２５】
2018105051.tif 000027
【図２６】
2018105051.tif 000028
【図２７】
2018105051.tif 000029
【図２８】
2018105051.tif 000030
【図２９】
2018105051.tif 000031
【図３０】
2018105051.tif 000032